(57)【要約】      （修正有）【課題】甲殻類の眼柄に外部標識を効率よく装着するための取り付け器具を提供する。【解決手段】甲殻類の眼柄に嵌め込むことが可能な穴が設けられたゴム状弾性を有する嵌め込み受容部を備えた外部標識を装着するために用いられる取り付け器具２０１であって、棒状部１１及び棒状部１１の一端に接続された漏斗状部１２を備え、漏斗状部１２は、棒状部１１との接続端１３側から解放端１４側に向けて径が漸増する形状を有し、かつ、棒状部１１との接続端１３側から解放端１４側に向けて径が漸増し、解放端１４において開口する空洞部を有する。【選択図】図９
0003228767.tif 000002
【実用新案登録請求の範囲】
【請求項１】
少なくとも、甲殻類の眼柄に嵌め込むことが可能な穴が設けられたゴム状弾性を有する嵌め込み受容部を備えた外部標識を、甲殻類の眼柄に装着するために用いられる取り付け器具であって、
棒状部、及び、当該棒状部の一端に接続された漏斗状部を備え、
前記漏斗状部は、棒状部との接続端側から解放端側に向けて径が漸増する形状を有し、かつ、棒状部との接続端側から解放端側に向けて径が漸増し、解放端において開口する空洞部を有することを特徴とする甲殻類用外部標識の取り付け器具。
【請求項２】
前記漏斗状部が略錐形又は略紡錘形の形状を有し、かつ、前記空洞部が略錐形又は略紡錘形の形状を有する、請求項１に記載の取り付け器具。
【請求項３】
前記棒状部は、長さが１０ｍｍ〜１０００ｍｍであり、
前記漏斗状部は、棒状部との接続端から解放端までの長さが５ｍｍ〜５０ｍｍ、解放端の径が１．５ｍｍ〜３０ｍｍであり、
前記漏斗状部の空洞部は、閉鎖端から開口端までの長さが２ｍｍ〜５０ｍｍ、開口部の径が１ｍｍ〜２５ｍｍである、請求項１又は２に記載の取り付け器具。
【請求項４】
下記の外部標識及び下記の取り付け器具の組み合わせ：
少なくとも、甲殻類の眼柄に嵌め込むことが可能な穴が設けられたゴム状弾性を有する嵌め込み受容部を備えた外部標識；及び、
棒状部、及び、当該棒状部の一端に接続された漏斗状部を備え、前記漏斗状部は、棒状部との接続端側から解放端側に向けて径が漸増する形状を有し、かつ、棒状部との接続端側から解放端側に向けて径が漸増し、解放端において開口する空洞部を有する甲殻類用外部標識の取り付け器具；
上記組み合わせにおいて、前記棒状部の径、前記漏斗状部の開口端の径、及び、前記嵌め込み受容部の穴の径は、それぞれ、嵌め込み受容部の穴に、棒状部の解放端側から差し込み、外部標識を漏斗状部の解放端側まで通過させることができる寸法を有する。
【請求項５】
前記棒状部の径は、前記嵌め込み受容部の穴の径の０．８〜１．２倍であり、かつ、前記漏斗状部の解放端の径は、前記嵌め込み受容部の穴の径の１．５〜４．０倍である、請求項４に記載の組み合わせ。
【考案の詳細な説明】
【技術分野】
【０００１】
本考案は、エビやカニ等の甲殻類に外部標識を取り付けるために用いられる器具に関する。
【背景技術】
【０００２】
エビやカニ等の甲殻類は水産資源として重要であり、飼育試験や放流事業が行われている。このような試験の検体や放流の種苗として用いられる甲殻類には、個体識別するために視認可能な外部標識が付される。
甲殻類に外部標識を付与する方法の一つとして、適当な大きさのラベルを対象生物の頭胸部に接着剤で貼り付ける方法がある。しかし、甲殻類は成長過程で脱皮するため、この外部標識は短期間で失われてしまう。特に、この方法は、放流事業の効果を判定する目的には役に立たない。
また、別の方法として、エビ類の尾肢の一部を切除することにより、再生部分の色調や形状が変化することを利用して個体識別を行う方法がある（特許文献１）。しかし、このような方法では判別する技術に熟練を要し、観察者の経験値や主観によって判別結果に差が生じる場合がある。また、このような方法では、再生部分の色調や形状の変化についてバリエーションを多く作り出せるとはいえないため、複数の対象群を識別したり、各々の個体を厳密に識別することが難しい。
非特許文献１には、識別番号を刻印した小さいラベルをゴム板に接着し、そのゴム板に穴をあけた外部標識を準備し、外部標識のゴム板部の穴をピンセットで拡げた状態に保ちながら、その穴にクルマエビの眼柄を通すことにより、外部標識を装着することが記載されている。この方法によれば、眼柄に外部標識を装着するので、脱皮しても脱落しない外部標識をクルマエビに付与することができる。
【先行技術文献】
【特許文献】
【０００３】
【特許文献１】特開２００１−２４５５４７号公報
【非特許文献】
【０００４】
【非特許文献１】ガイドブック「クルマエビ類の成熟・産卵と産卵技術」第６章第２節「催熟の工程と実用性」、奥村卓二・水藤勝喜編、愛知県水産業振興基金、２０１４年http://nria.fra.affrc.go.jp/hakko/guidebook/index.htmlhttp://nria.fra.affrc.go.jp/hakko/guidebook/6-2.pdf
【考案の概要】
【考案が解決しようとする課題】
【０００５】
しかし、上記の非特許文献１に記載された方法においては、ピンセットを使った細かい作業を行いながら、繊細な眼柄に外部標識を装着するため、多数の対象生物に対して効率よく装着することが難しい。
本考案は、甲殻類の眼柄に、ゴム状弾性体を有する嵌め込み穴を備えた外部標識を効率よく装着することを可能とする取り付け器具を提供することを目的とする。
【課題を解決するための手段】
【０００６】
本考案は、下記の甲殻類用外部標識の取り付け器具を提供する：
少なくとも、甲殻類の眼柄に嵌め込むことが可能な穴が設けられたゴム状弾性を有する嵌め込み受容部を備えた外部標識を、甲殻類の眼柄に装着するために用いられる取り付け器具であって、
棒状部、及び、当該棒状部の一端に接続された漏斗状部を備え、
前記漏斗状部は、棒状部との接続端側から解放端側に向けて径が漸増する形状を有し、かつ、棒状部との接続端側から解放端側に向けて径が漸増し、解放端において開口する空洞部を有することを特徴とする甲殻類用外部標識の取り付け器具。
【０００７】
また本考案は、下記の外部標識及び下記の取り付け器具の組み合わせを提供する：
少なくとも、甲殻類の眼柄に嵌め込むことが可能な穴が設けられたゴム状弾性を有する嵌め込み受容部を備えた外部標識；及び、
棒状部、及び、当該棒状部の一端に接続された漏斗状部を備え、前記漏斗状部は、棒状部との接続端側から解放端側に向けて径が漸増する形状を有し、かつ、棒状部との接続端側から解放端側に向けて径が漸増し、解放端において開口する空洞部を有する甲殻類用外部標識の取り付け器具；
上記組み合わせにおいて、前記棒状部の径、前記漏斗状部の開口端の径、及び、前記嵌め込み受容部の穴の径は、それぞれ、嵌め込み受容部の穴に、棒状部の解放端側から差し込み、外部標識を漏斗状部の解放端側まで通過させることができる寸法を有する。
【考案の効果】
【０００８】
本考案の取り付け器具を用いることにより、甲殻類の眼柄に、ゴム状弾性体を有する嵌め込み穴を備えた外部標識を効率よく装着することができる。
【図面の簡単な説明】
【０００９】
【図１】本考案において取り扱う外部標識の一例（外部標識１０１）を示す斜視図である。
【図２】図１に示した外部標識の上面図である。
【図３】図１に示した外部標識のＡ−Ａ断面図である。
【図４】図１に示した外部標識のＢ−Ｂ断面図である。
【図５】図１に示した外部標識をエビに装着した状態を示す図である。
【図６】図１に示した外部標識の寸法を説明する図である。
【図７】本考案において取り扱う外部標識の他の一例（外部標識１０２）を示す上面図である。
【図８】本考案において取り扱う外部標識の他の一例（外部標識１０３）を示す上面図である。
【図９】本考案の取り付け器具の一例（取り付け器具２０１）を示す斜視図である。
【図１０】図９に示した取り付け器具の漏斗状部側端部を正面としたときの右側面図である。
【図１１】図９に示した取り付け器具のＣ−Ｃ断面図である。
【図１２】図９に示した取り付け器具に図１に示した外部標識を装填した状態を示す図である。
【図１３】図９に示した取り付け器具の寸法を説明する図である。
【図１４Ａ】本考案の取り付け器具を用いて外部標識を装着する方法を説明する図である。
【図１４Ｂ】本考案の取り付け器具を用いて外部標識を装着する方法を説明する図である。
【図１４Ｃ】本考案の取り付け器具を用いて外部標識を装着する方法を説明する図である。
【図１４Ｄ】本考案の取り付け器具を用いて外部標識を装着する方法を説明する図である。
【考案を実施するための形態】
【００１０】
本考案は、少なくとも、甲殻類の眼柄に嵌め込むことが可能な穴が設けられたゴム状弾性を有する嵌め込み受容部を備えた外部標識を、甲殻類の眼柄に装着するために用いられる取り付け器具であって、
棒状部、及び、当該棒状部の一端に接続された漏斗状部を備え、
前記漏斗状部は、棒状部との接続端側から解放端側に向けて径が漸増する形状を有し、かつ、棒状部との接続端側から解放端側に向けて径が漸増し、解放端において開口する空洞部を有することを特徴とする。
【００１１】
外部標識を取り付ける対象となる甲殻類としては、例えば、甲殻綱、軟綱亜綱、十脚目に属するクルマエビ、ヨシエビ、サルエビ、フトミゾエビなどのエビ類が挙げられるが、これらに限定されない。
本考案において取り扱う外部標識は、エビやカニなどの甲殻類の眼柄に装着するものである。外部標識の一例として、外部標識１０１を、図１から図４に示す。図１、２、３及び４は、それぞれ外部標識１０１の斜視図、上面図、図１中のＡ−Ａ断面図、及び、図１中のＢ−Ｂ断面図である。図５に、外部標識１０１をクルマエビの眼柄に装着した状態を示す。
【００１２】
外部標識１０１は、全体がゴム状弾性体で形成された薄い板状又はシート状の薄片であり、長方形の短辺が外側に膨らむ半円となった略楕円の平面形状を有する。
ゴム状弾性体の材料としては、例えば、シリコンゴム、エラストマー樹脂などを用いることができる。外部標識１０１は、その長軸方向の一端側に、甲殻類の眼柄に嵌め込む貫通穴１を有する嵌め込み受容部２を備え、長軸方向の他端側に、外部標識１０１を取り扱う際に把持し或いは必要に応じ識別のためにマーキングを書き込む余白部３を備えている。
外部標識１０１の嵌め込み受容部に設けられた穴の径は、対象生物である甲殻類の眼柄の太さよりも大きいが、眼柄の先端にある眼球部の大きさよりも小さい。ここで、貫通穴１の形状が正円でない場合、「穴の径」は最小径を意味する。
外部標識１０１の嵌め込み受容部はゴム状弾性を有するので、これを引っ張り、穴を一時的に拡げ、穴の中に眼柄を通すことにより、図５に示すように標識が装着される。この外部標識は、一度装着されると対象生物が脱皮しても脱落せず、また、緩く嵌合しているため眼柄を圧迫しない。
【００１３】
外部標識１０１の寸法は、標識を装着する対象生物の大きさによって適宜設定することができる。
図６に従って説明すると、外部標識１０１を３．５〜１０．０ｃｍ程度のクルマエビに装着する場合、通常であれば、長さ（Ｌ）を５〜４０ｍｍ、幅（Ｗ）を２〜６ｍｍ、厚さ（Ｔ）を０．０５〜１．０ｍｍ、穴の径（Ｒ）を１．０〜３．０ｍｍ、穴周り周縁部の幅（Ｌｉｍｂ）を０．５〜２．０ｍｍの範囲とすることが適している。
一例として、例えば、長さ（Ｌ）を１０．０ｍｍ、幅（Ｗ）を４．０ｍｍ、厚さ（Ｔ）を０．５ｍｍ、穴の径（Ｒ）を１．５０ｍｍ、穴周の周縁部の幅（Ｌｉｍｂ）を１．２５ｍｍとすることができる。
【００１４】
なお、本考案において取り扱う外部標識の形態は、上記のものに限定されない。図７及び図８は、本考案において取り扱う外部標識の他の例である。
図７は外部標識１０２の上面図である。当該外部標識１０２は、貫通穴１を有するリング状のゴム状弾性体２からなる。外部標識は、このような単純な形状であってもよい。
図８は外部標識１０３の上面図である。当該外部標識１０３は、ゴム状弾性体のリングからなる嵌め込み受容部２に、長方形のプラスチック板４が接続された形態を有する。外部標識は、少なくとも嵌め込み受容部２がゴム状弾性を有するが、プラスチック板４のようにゴム状弾性を有しない部分を備えていてもよい。
【００１５】
本考案の取り付け器具について説明する。図９〜１１に、本考案の一例として、取り付け器具２０１を示す。図９、１０及び１１は、それぞれ取り付け器具２０１の斜視図、側面図、及び図９中のＣ−Ｃ断面図である。また、図１２に、取り付け器具２０１の棒状部１１に多数の外部標識１０１を装填した状態を示す。
取り付け器具２０１は、棒状部１１、及び、当該棒状部の一端に接続された漏斗状部１２を備える。取り付け器具２０１の材質は、例えば、ステンレスなどの金属、プラスチック、木製、竹製などとすることができ、棒状部１１と漏斗状部１２が異種材料で形成されていてもよい。
【００１６】
棒状部１１は、取り付け部２０１を手で握る際の把持部として機能するだけでなく、棒状部を外部標識の穴に通して保持することにより複数の外部標識を装填する装填部としても機能する。
漏斗状部１２は、棒状部１１との接続端１３側から解放端１４側に向けて径が漸増する略円錐形の外部形状を有し、空洞部１６を有し、解放端に空洞部の開口部１５を有する。空洞部１６は、棒状部との接続端側が閉鎖し、棒状部との接続端側から解放端側に向けて径が漸増し、解放端において開口する。この例では、漏斗状部１２と空洞部１６が略円錐形であり、空洞部１６が漏斗状部１２の外部形状よりも一回り小さい、ほぼ相似の形状を有している。
漏斗状部１２は、甲殻類の眼柄に外部標識を装着する際に、眼柄先端の眼球部を囲って空洞部１６の内側に収納する保護部としての機能、棒状部に装填した外部標識を棒状部との接続端側から解放端側に向けて移動することによって外部標識の穴を拡げる拡張部としての機能、及び、外部標識の穴を眼柄の位置まで誘導する誘導部としての機能を有しており、これらの機能が連動して、外部標識の穴を眼球部に接触させることなく、眼柄の位置まで誘導することができる。
【００１７】
取り付け器具２０１の寸法は、標識を装着する対象生物の大きさ・形状及び取り扱う外部標識の寸法・形状によって適宜設定することができる。
取り付け器具の寸法としては、例えば、棒状部は、長さを１０ｍｍ〜１０００ｍｍの範囲とし、漏斗状部は、棒状部との接続端から解放端までの長さを５ｍｍ〜５０ｍｍの範囲、及び、解放端の径を１．５ｍｍ〜３０ｍｍの範囲とし、漏斗状部の空洞部は、閉鎖端から開口端までの長さを２ｍｍ〜５０ｍｍの範囲、及び、開口部の径を１ｍｍ〜２５ｍｍの範囲とすることができる。
特に、取り付け器具２０１を３．５〜１０．０ｃｍ程度のクルマエビに使用する場合の寸法を、図１３に従って説明すると、通常であれば、全長（Ｌ）が９０〜２００ｍｍ、棒状部１１の長さ（Ｌａ）が８０〜１９０ｍｍ、棒状部１１の径（Ｒａ）が１．０〜３．０ｍｍ、漏斗状部１２の長さ（Ｌｂ）、すなわち棒状部との接続端から解放端までの軸長が１０〜３０ｍｍ、漏斗状部１２の解放端における外径（Ｒｂ）が３．０〜７．０ｍｍ、空洞部１６の長さ（Ｌｃ）、すなわち棒状部と漏斗状部の接続端側にある閉鎖端から開口部がある解放端までの軸長が５〜２５ｍｍ、開口部の径（Ｒｃ）が２．５〜６．５ｍｍの範囲とすることが適している。
例えば、全長（Ｌ）を約１１０ｍｍ、棒状部１１の長さ（Ｌａ）を約９０ｍｍ、棒状部１１の径（Ｒａ）を約１．５ｍｍ、漏斗状部１２の長さ（Ｌｂ）を約２０ｍｍ、漏斗状部１２の外径（Ｒｂ）を約４ｍｍとすることができる。また、空洞部１６の長さ（Ｌｃ）を約１５ｍｍ、開口部の径（Ｒｃ）を約３ｍｍとすることができる。
ここで、棒状部１１の径（Ｒａ）及び漏斗状部１２の外径（Ｒｂ）における「径」とは、それらの形状が正円でない場合、最大径を意味する。また、開口部の径（Ｒｃ）における「径」とは、その形状が正円でない場合、最小径を意味する。
【００１８】
取り付け器具の棒状部１１の径（Ｒａ）及び漏斗状部１２の開口端の外径（Ｒｂ）と、外部標識の嵌め込み受容部の穴１の径（Ｒ）との関係では、外部標識の嵌め込み受容部の穴に、棒状部の解放端側から差し込み、外部標識を漏斗状部１２の解放端側まで通過させることができる寸法とする。外部標識の嵌め込み受容部はゴム状弾性を有し伸縮可能であるから、嵌め込み受容部の穴径が取り付け器具の棒状部の径よりも多少小さくても、取り付け器具の棒状部を嵌め込み受容部の穴に差し込み、外部標識を漏斗状部の解放端側まで通過させることができる。
かかる観点から、取り付け器具の棒状部１１の径を、外部標識の嵌め込み受容部の穴１の径の０．８〜１．２倍とすることにより、嵌め込み受容部の穴径を大きくしすぎずに、棒状部上に装填した外部標識を漏斗状部側に誘導し易くなるとともに、漏斗状部１２の解放端の外径を、嵌め込み受容部の穴１の径の１．５〜４．０倍とすることにより、外部標識を漏斗状部の解放端側にスムーズに滑らせて誘導し易くなる。
本考案では、外部標識の嵌め込み受容部の穴径を決める際には、当該穴が、取り付け器具の棒状部側から漏斗状部側に通過させることができるか否かが重要であるため、上記したように、嵌め込み受容部の穴１の径は最小径を基準とし、棒状部１１の径（Ｒａ）及び漏斗状部１２の外径（Ｒｂ）の径は最大径を基準とする。
また本考案では、漏斗状部の開口部径を決める際には、標識を取り付ける甲殻類の眼に被せて囲い込むことができるか否かが重要であるため、上記したように、開口部の径（Ｒｃ）は、最小径を基準とする。
【００１９】
なお、本考案の取り付け器具の形態は、上記のものに限定されない。例えば、取り付け器具の棒状部は、直線状に限られない。また、漏斗状部の外形及び空洞部の形状は円錐形に限られず、多角錐形を含む略錐形や略紡錘形であってもよい。また、漏斗状部の外形と空洞部の形状は相似形に限られず、異なる形状であってもよい。
【００２０】
図１４Ａから１４Ｄは、本考案の取り付け器具を用いてクルマエビの眼柄に外部標識を装着する方法を説明する図である。
先ず、図１４Ａに示すように、取り付け器具２０１の棒状部を外部標識１０１の穴に通して外部標識を装填し、装填が済んだ取り付け器具を片手で持つ。外部標識を複数の対象生物に連続して装着するために、通常は複数の外部標識が装填される。
次に、図１４Ｂに示すように、棒状部上に装填された外部標識のうち先頭のもの、すなわち、最も棒状部と漏斗状部との接続端側にある一つを、棒状部と漏斗状部との接続部から漏斗状部の解放端まで滑らせて移動する。外部標識の穴は、この移動によりスムーズに拡がり、外部標識は、穴が拡がった状態で漏斗状部の解放端の位置に保持される。
次に、図１４Ｃに示すように、取り付け器具を持っていない、もう片方の手でクルマエビをつかむ。
次に、図１４Ｄに示すように、取り付け器具の漏斗状部にエビの眼を入れ、漏斗状部の解放端に保持されている外部標識を指の爪、または指先で押し出す。
上記一連の手順によって、前記図５に示すように、エビの眼柄に外部標識を装着することができる。上記手順によりクルマエビの眼柄に外部標識を装着する場合には、３０分間でおよそ１００個体に外部標識を装着することができる。
【００２１】
以上に説明したとおり、本考案の取り付け器具を使用することによって、甲殻類の眼柄に、ゴム状弾性体を有する嵌め込み穴を備えた外部標識を、対象生物の眼を傷つけることなく、容易かつ迅速に装着することができる。
また、本考案の取り付け器具に多数の外部標識をまとめて装填し、複数の対象生物に対して素早い手さばきで連続して外部標識を装着することができる。
特に本考案の取り付け器具は、多数の甲殻類に対し、脱皮しても脱落しない外部標識を効率よく装着することができるため、クルマエビ等の資源的価値が高い甲殻類の標識放流調査を行う際に好適に利用される。
【符号の説明】
【００２２】
１０１、１０２、１０３：外部標識
２０１：取り付け器具
１：穴
２：嵌め込み受容部
３：余白部
４：プラスチック板
１１：棒状部
１２：漏斗状部
１３：棒状部と漏斗状部の接続部
１４：漏斗状部の解放端
１５：開口部
１６：空洞部
【図１】
0003228767.tif 000003
【図２】
0003228767.tif 000004
【図３】
0003228767.tif 000005
【図４】
0003228767.tif 000006
【図５】
0003228767.tif 000007
【図６】
0003228767.tif 000008
【図７】
0003228767.tif 000009
【図８】
0003228767.tif 000010
【図９】
0003228767.tif 000011
【図１０】
0003228767.tif 000012
【図１１】
0003228767.tif 000013
【図１２】
0003228767.tif 000014
【図１３】
0003228767.tif 000015
【図１４Ａ】
0003228767.tif 000016
【図１４Ｂ】
0003228767.tif 000017
【図１４Ｃ】
0003228767.tif 000018
【図１４Ｄ】
0003228767.tif 000019
【手続補正書】
【提出日】令和2年8月7日(2020.8.7)
【手続補正１】
【補正対象書類名】実用新案登録請求の範囲
【補正対象項目名】全文
【補正方法】変更
【補正の内容】
【実用新案登録請求の範囲】
【請求項１】
少なくとも、甲殻類の眼柄に嵌め込むことが可能な穴が設けられたゴム状弾性を有する嵌め込み受容部を備えた外部標識を、甲殻類の眼柄に装着するために用いられる取り付け器具であって、
棒状部、及び、当該棒状部の一端に接続された漏斗状部を備え、
前記漏斗状部は、棒状部との接続端側から解放端側に向けて径が漸増する形状を有し、かつ、棒状部との接続端側から解放端側に向けて径が漸増し、解放端において開口する空洞部を有することを特徴とする甲殻類用外部標識の取り付け器具。
【請求項２】
前記漏斗状部が略錐形又は略紡錘形の形状を有し、かつ、前記空洞部が略錐形又は略紡錘形の形状を有する、請求項１に記載の取り付け器具。
【請求項３】
前記棒状部は、長さが１０ｍｍ〜１０００ｍｍであり、
前記漏斗状部は、棒状部との接続端から解放端までの長さが５ｍｍ〜５０ｍｍ、解放端の径が１．５ｍｍ〜３０ｍｍであり、
前記漏斗状部の空洞部は、閉鎖端から開口端までの長さが２ｍｍ〜５０ｍｍ、開口部の径が１ｍｍ〜２５ｍｍである、請求項１又は２に記載の取り付け器具。
【請求項４】
下記の外部標識及び下記の取り付け器具の組み合わせからなる甲殻類用外部標識取り付けセット：
少なくとも、甲殻類の眼柄に嵌め込むことが可能な穴が設けられたゴム状弾性を有する嵌め込み受容部を備えた外部標識；及び、
棒状部、及び、当該棒状部の一端に接続された漏斗状部を備え、前記漏斗状部は、棒状部との接続端側から解放端側に向けて径が漸増する形状を有し、かつ、棒状部との接続端側から解放端側に向けて径が漸増し、解放端において開口する空洞部を有し、前記棒状部の径、及び、前記漏斗状部の解放端の径は、それぞれ、前記外部標識の嵌め込み受容部の穴に、棒状部の解放端側から差し込み、外部標識を漏斗状部の解放端側まで通過させることができる寸法を有する甲殻類用外部標識取り付け器具。
【請求項５】
前記棒状部の径は、前記嵌め込み受容部の穴の径の０．８〜１．２倍であり、かつ、前記漏斗状部の解放端の径は、前記嵌め込み受容部の穴の径の１．５〜４．０倍である、請求項４に記載の甲殻類用外部標識取り付けセット。
【手続補正３】
【補正対象書類名】明細書
【補正対象項目名】０００７
【補正方法】変更
【補正の内容】
【０００７】
また本考案は、下記の外部標識及び下記の取り付け器具の組み合わせからなる甲殻類用外部標識取り付けセットを提供する：
少なくとも、甲殻類の眼柄に嵌め込むことが可能な穴が設けられたゴム状弾性を有する嵌め込み受容部を備えた外部標識；及び、
棒状部、及び、当該棒状部の一端に接続された漏斗状部を備え、前記漏斗状部は、棒状部との接続端側から解放端側に向けて径が漸増する形状を有し、かつ、棒状部との接続端側から解放端側に向けて径が漸増し、解放端において開口する空洞部を有し、前記棒状部の径、及び、前記漏斗状部の解放端の径は、それぞれ、前記外部標識の嵌め込み受容部の穴に、棒状部の解放端側から差し込み、外部標識を漏斗状部の解放端側まで通過させることができる寸法を有する甲殻類用外部標識取り付け器具。